(57)【要約】【課題】長時間装着しても違和感がなく、かつ解けにくく、さらに髪や肌に優しい髪型セット具を提供する。【解決手段】一定量の髪７を毛先７ａから根元に向かって巻きつける土台となる基部２を有する髪型セット具１であって、前記髪型セット具１は横長の布からなり、前記基部２は、長手方向の少なくとも中心部にあり、前記基部２の何れか片方側には前記基部２よりも伸縮性の高い結束部３が配置されている。【選択図】図１
2015136466.tif 000002
【特許請求の範囲】
【請求項１】
一定量の髪を毛先から根元に向かって巻きつける土台となる基部を有する髪型セット具であって、
前記髪型セット具は横長の布からなり、
前記基部は、長手方向の少なくとも中心部にあり、前記基部の何れか片方側には前記基部よりも伸縮性の高い結束部が配置されていることを特徴とする髪型セット具。
【請求項２】
前記結束部は、前記基部の両側に配置されていることを特徴とする請求項１に記載の髪型セット具。
【請求項３】
前記髪型セット具は、筒状であることを特徴とする請求項１または２に記載の髪型セット具。
【請求項４】
前記結束部の前記基部とは異なる端部には、前記結束部よりも肉厚の結端部が連結されていることを特徴とする請求項１ないし３に記載の髪型セット具。
【請求項５】
前記筒は両端とも開放されており、少なくとも前記基部と前記結束部が周方向に伸縮自在になっていることを特徴とする請求項１ないし４に記載の髪型セット具。
【請求項６】
前記布の長手方向の端部には末端部が連結され、前記末端部は周方向に伸縮自在であり、かつ少なくとも前記基部よりも小径であることを特徴とする請求項１ないし５に記載の髪型セット具。
【請求項７】
前記布は、二本の糸を同時に編む添え糸編みで編まれ、前記布の表面に現れる表糸に絹繊維が含まれていることを特徴とする請求項１ないし６に記載の髪型セット具。
【発明の詳細な説明】
【技術分野】
【０００１】
本発明は、毛髪に巻きつけて固定することにより巻き髪を作ることができる髪型セット具に関する。
【背景技術】
【０００２】
従来、巻き髪を作る髪型セット具としては、プラスチックや金属で形成された円柱状のホットカーラーがあり、予め電気によってカーラーを加熱し、これに毛髪を巻きつけて一定時間髪に熱を加えることによって巻き髪を形成するようにしたものがある（例えば、特許文献１参照）。
【先行技術文献】
【特許文献】
【０００３】
【特許文献１】特開平１０−２７６８２４号公報（第２〜３頁、第１図）
【発明の概要】
【発明が解決しようとする課題】
【０００４】
しかしながら特許文献１のようなホットカーラーにあっては、カーラーを装着したまま就寝した場合、プラスチック等の固い髪型セット具が後頭部や顔に当たって痛みをともない睡眠が妨げられるという問題があった。また、ホットカーラーの毛髪の固定方法は、ヘアピンを用いる他、カーラーに巻きつけられた髪全体をクリップで覆いカーラーと毛髪を固定するものであるため、作業中の頭部の揺れや就寝中の寝返り等の頭の動きによって巻き髪を固定したヘアピン等が外れてしまい、巻き髪が直ぐに解けてしまうという問題があった。またホットカーラーは、加熱したカーラーに巻きつけられた毛髪に熱を与えることによってカール付けを行うというものであるため、熱によって毛髪の表面組織であるキューティクルの油膜がはがれ、毛髪内部から水分が流出してパサつきや枝毛の原因となり、セットする度にさらに髪を傷めてしまうという問題があった。
【０００５】
本発明は、このような問題点に着目してなされたもので、長時間装着しても違和感がなく、かつ解けにくく、さらに髪や肌に優しい髪型セット具を提供することを目的とする。
【課題を解決するための手段】
【０００６】
前記課題を解決するために、本発明の髪型セット具は、
一定量の髪を毛先から根元に向かって巻きつける土台となる基部を有する髪型セット具であって、
前記髪型セット具は横長の布からなり、
前記基部は、長手方向の少なくとも中心部にあり、前記基部の何れか片方側には前記基部よりも伸縮性の高い結束部が配置されていることを特徴としている。
この特徴によれば、基部が、巻き付けられた髪に対して形状を崩さない軸として機能するとともに、結束部が伸縮機能を働かせ結束した髪全体を解けにくく固定することができるため、髪を安定した形状のまま長期間保持できるとともに、布で形成されているため違和感なく装着することができ、かつ髪にダメージを与えることがない。
【０００７】
前記結束部は、前記基部の両側に配置されていることを特徴としている。
この特徴によれば、基部の両側の結束部によって巻き髪を固定することができるため、解けにくく形状の整った巻き髪を形成することができる。
【０００８】
前記髪型セット具は、筒状であることを特徴としている。
この特徴によれば、布を二重にして肉厚の基部を形成することができる。
【０００９】
前記結束部の前記基部とは異なる端部には、前記結束部よりも肉厚の結端部が連結されていることを特徴としている。
この特徴によれば、結束部よりも肉厚の結端部によって、巻き髪を結んで固定した結束部が緩んで解けることを防止することができる。
【００１０】
前記筒は両端とも開放されており、少なくとも前記基部と前記結束部が周方向に伸縮自在になっていることを特徴としている。
この特徴によれば、髪型セット具の端部を内巻きに巻いて形状の整ったドーナツ状土台を作ることができ、この土台を使用して形状の整ったシニヨンを簡単に作ることができるとともに、シニヨンを解くことによって巻き髪を形成することができる。
【００１１】
前記布の長手方向の端部には末端部が連結され、前記末端部は周方向に伸縮自在であり、かつ少なくとも前記基部よりも小径であることを特徴としている。
この特徴によれば、ドーナツ状土台を作る際に、一方の末端部がドーナツ状土台の内側に入りやすく簡単に一定の半径を保ったまま内巻きに巻くことができるとともに、他方の末端部はドーナツ状土台全体を締め付けて巻き戻りを防止することができる。
【００１２】
前記布は、二本の糸を同時に編む添え糸編みで編まれ、前記布の表面に現れる表糸に絹繊維が含まれていることを特徴としている。
この特徴によれば、直接髪や肌に触れる表糸に、吸湿性に優れ動物性たんぱく質からなる絹を用いることによって髪や肌が傷むことを防ぐとともに布を軽量化することができる。
【図面の簡単な説明】
【００１３】
【図１】（ａ）は実施例の髪型セット具を示す正面図であり、（ｂ）はそのＡ−Ａ断面図である。
【図２】（ａ）髪型セット具の基部を巻いて棒状土台を形成した状態を示す図であり、（ｂ）はそのＡ−Ａ断面図である。
【図３】棒状土台を用いて巻き髪を作る方法を示したす図である。
【図４】基部に巻かれた髪を結んで固定した状態の一部断面図である。
【図５】髪型セット具を用いてドーナツ状土台を作る方法を示した図である。
【図６】ドーナツ状土台を用いてシニヨンを作る方法示した図である。
【図７】変形例１の髪型セット具を示す図である。
【図８】変形例２の髪型セット具を示す図である。
【図９】変形例３の髪型セット具を示す図である。
【発明を実施するための形態】
【００１４】
本発明に係る髪型セット具を実施するための形態を実施例に基づいて以下に説明する。
【実施例】
【００１５】
実施例に係る髪型セット具につき、図１から図６を参照して説明する。以下、図１（ａ）の紙面手前側を髪型セット具の正面側とし、紙面左右方向を髪型セット具の長手方向、紙面上下方向を髪型セット具の短手方向として説明する。また、髪型セット具の各部位の寸法を表す横長さ、幅、厚みとは、長手方向の長さ（同部位が複数用いられる場合は一部位分の長さ、布を折り曲げて一部位としている場合は折り曲げた場合の長さ）、短手方向の長さ（筒の場合は円周の約半分の長さ）、布の厚み（筒の場合は布二枚分の厚み、布を二重にした筒の場合は布四枚分の厚み）をそれぞれ意味している。
【００１６】
図１に示すように、本実施例の髪型セット具１は、横長筒状の布からなり、長手方向の中心部に設けられた基部２から順に、結束部３，３、結端部４，４、末端部５，５がそれぞれ左右対称に設けられている。尚、基部２及び結端部４には図面上で分かり易いようドットを付している。前記各部位の寸法、使用する糸の種類、布の作り方（織物、編物、不織布）については各部位が機能を発揮する限り適宜選択可能であるが以下にその一般的な例を示す。尚、本実施例において「糸」とは繊維を引き揃えて撚りをかけたものを意味し、「布」とは繊維や糸を薄く広い板状に加工したものを意味する。
【００１７】
基部２は、長手方向の中心部を占め、一定量の髪を毛先７ａ（図３参照）から根元に向かって巻きつける土台となる。基部２の横長さは、適度な量の髪を巻きつける観点から２０ｍｍから２００ｍｍ、好ましくは５０ｍｍから１５０ｍｍであり、幅は、適度な巻き髪の土台又は適度なカールの大きさを形成する観点から１０ｍｍから１５０ｍｍ、好ましくは２０ｍｍから１００ｍｍであり、厚さは、適度な巻き髪の土台又は適度なカールの大きさを形成する観点から０．１ｍｍから１０ｍｍ、好ましくは１ｍｍから７ｍｍである。糸は、綿、麻等の植物繊維又は絹、毛等の動物繊維からなる天然繊維の他、ナイロン、ポリエステル、アクリル、ポリウレタン等の化学繊維が使用される。布は、糸で輪（ループ）を作りその輪に再度糸を通して繰り返し輪を作りながら螺旋状に順次編んでいく編物により形成され、一般に靴下や手袋等を製造する編み機によって製造することができる。
【００１８】
結束部３は、基部２よりも長手方向に伸縮性が高く、基部２に巻きつけられた髪を結束して固定する。結束部３の横長さは、基部２に巻きつけられた髪を適度に結束する観点から２０ｍｍから４００ｍｍ、好ましくは５０ｍｍから ３００ｍｍ、幅は、基部２に巻きつけられた髪を適度に結束する観点及び隣接する部位の幅との関係から １０ｍｍから１５０ｍｍ、好ましくは２０ｍｍから１００ｍｍ、厚さは、基部２に巻きつけられた髪を適度に結束する観点から０．１ｍｍから１０ｍｍ、好ましくは１ｍｍから７ｍｍであり、一般的な糸の種類や布の作り方は基部２と同じである。
【００１９】
結端部４は、結束部３よりも肉厚の布からなり、基部２に巻かれた髪を結んで固定した結束部３が緩んで解けることを防止する。結端部４の横長さは、結束部３の緩みを防止する観点から１ｍｍから１５０ｍｍ、好ましくは１０ｍｍから５０ｍｍ、幅は、隣接する部位の幅との関係から１０ｍｍから１５０ｍｍ、好ましくは２０ｍｍから１００ｍｍ、厚さは、結束部３の緩みを防止する観点から０．２ｍｍから１５ｍｍ、好ましくは１ｍｍから１０ｍｍであり、一般的な糸の種類や布の作り方は基部２と同じである。
【００２０】
末端部５は、周方向に伸縮自在である。また、後に詳述する髪型セット具の２つ目の利用方法におけるドーナツ状土台（図５参照）を作る際に、土台芯となりかつドーナツ状土台全体を締め付ける部位となる観点から、末端部５の横長さは、３ｍｍから１００ｍｍ、好ましくは１０ｍｍから５０ｍｍ、幅は、周方向に伸縮性を有する観点から５ｍｍから１４０ｍｍ、好ましくは１０ｍｍから９０ｍｍ、厚さは、ドーナツ状土台となりかつドーナツ状土台全体を締め付ける部位となる観点から０．２ｍｍから１５ｍｍ、好ましくは１ｍｍから１０ｍｍであり、一般的な糸の種類や布の作り方は基部２同様編み物で形成される。
【００２１】
髪型セット具全体の横長さ、即ち各部位の横長さの合計は１００ｍｍから９００ｍｍ、好ましくは２００ｍｍから５００ｍｍである。幅は、末端部５を除きほぼ同じであり、末端部５は、他部位よりやや小さく、端方向にいくにしたがって小さくなるように形成されている。
【００２２】
本実施例においては、各部位の横長さは、基部２が８５ｍｍ、結束部３が５０ｍｍ、結端部４が３０ｍｍ、末端部５が２５ｍｍ、髪型セット具１全体の横長さが２９５ｍｍであり、幅は、基部２及び結端部４が８５ｍｍ、結束部３が７５ｍｍ、末端部５の最端部が６５ｍｍであり、厚みは、基部２及び結端部４が２．５ｍｍ、結束部３が２ｍｍ、末端部５が４ｍｍである場合の筒状の髪型セット具１について説明する。
【００２３】
髪型セット具１に使用する糸は、基部２、結端部４、末端部５については地糸となる表糸に絹、裏糸にナイロンを用い、結束部３については表糸に絹、裏糸には伸縮性の高いポリウレタンにナイロンをカバリングしたナイロン・ポリウレタンとした。布の作り方は、末端部５を除き、輪が同じ方向に引出されて編み目が同じ状態に配列している平編、末端部５は平編の表目と裏目が縦方向の列ごとに交互に配置されたゴム編にて形成し端部の末端部５のみを内側に折り曲げて二重にして縫い合わせた。また、各部位の布の編み方は、布の表面に現れる表糸と裏面に現れる裏糸の二本の編み糸を同時に編み分ける添え糸編みとし、直接髪や肌に触れる表糸に吸湿性に優れ動物性たんぱく質からなる絹を用いることによって髪や肌に優しく布を軽量化することができる。絹繊維は、絹の軽くて柔らかく髪や肌に優しいという機能を発揮する観点から、糸の全繊維に対する絹繊維の含有率を５０重量％以上、好ましくは７０重量％以上とすることが望ましい。
【００２４】
尚、前記表糸に、制電性、抗菌性、消臭性が特に優れている植物系繊維の竹繊維が混紡された糸を使用することによって髪や肌に優しく特にアレルギーや敏感肌の人でも安心して使用することができる。竹繊維は、髪や肌に優しく抗菌・消臭機能を発揮する観点から、糸の全繊維に対する竹繊維の含有率を１０重量％以上、好ましくは３０重量％以上とすることが望ましい。
【００２５】
次に、髪型セット具１を用いた巻き髪を形成する二通りの方法について説明する。まず一つ目の方法は、図２に示すように髪を巻きつける土台となる基部２を手前から巻き込んで棒状土台を作る。棒状土台は、布をある程度厚みをもたせて土台芯にすることで土台が形状変形しにくく毛先７ａを巻き付けやすくなる。この棒状土台を用いて巻き髪を形成するが、巻きやすいよう予めスプレー等で毛先７ａを濡らしておくと良い。
【００２６】
次に、図３に示す（ａ）のように毛先７ａを棒状土台に巻きつけ、（ｂ）のように髪型セット具１を毛髪７の根元に向かって回転操作し、毛髪７を棒状土台に巻きつけていく。カールを付ける所望の位置まで巻き込んだら（ｃ）のように髪型セット具１の両端を重ね、基部２に巻きつけられた毛髪７を両側から包むように結束部３を真結びにして（ｄ）にように毛髪７を固定する。これを５、６ヶ所に分けて繰り返し行い髪全体のセットが完了する。
【００２７】
セットした状態で一定時間放置し、髪型セット具１を外すことによりきれいなカールが形成できる。尚、放置時間は長い程しっかりとしたカールができるが、就寝前にセットして髪型セット具１を装着したまま就寝し、翌朝外出前に髪型セット具１を外して髪を解けば簡単に形状の整ったカールヘアーができる。
【００２８】
尚、図４は、（ｄ）の状態、即ち基部２に巻かれた毛髪７を結んで固定した状態の髪型セット具１の一部断面図を示している。結束部３によって固定する際に基部２よりも長手方向に伸縮性の高い結束部３のみが矢印の方向に伸縮するため、基部２が、巻き付けられた毛髪７に対して形状を崩さない軸として機能するとともに、結束部３が、伸縮機能を働かせ結束した髪全体を解けにくく固定することができ、毛髪７を安定した形状のまま長期間保持できる。また、結束部３によって固定した髪型セット具１が就寝中の寝返り、作業中の頭部の揺れ、髪型セット具１同士の干渉、結束部３自体の復元力等によって緩んだとしても結束部３よりも肉厚の結端部４がそれを防止してセットが解けにくくなっている。
【００２９】
次に、髪型セット具１を用いた二つ目の巻き髪を形成する方法について説明する。図５（ａ）に示すように髪型セット具１は両端ともに開放された筒状であり、各部位は周方向に伸縮自在になっているため末端部５を内巻きに巻いてドーナツ状の土台芯を作ることができるようになっている。また、髪型セット具１の巻き始めの末端部５は他部位よりも縮径しているため、（ｂ）に示すように筒の半径が常に一定となる状態で簡単に内側に順次巻き込んでいくことができ、（ｃ）に示すように安定した崩れにくいドーナツ状土台を形成することができる。また、巻き終わりの末端部５は他部位よりも縮径しているためにドーナツ状土台全体を締め付けて巻き戻りを防止しドーナツ形状が崩れにくくなっている。（ｄ）は（ｃ）を正面図としたときの側面図であり、髪型セット具１を用いて簡単に形状の整ったドーナツ状土台を形成することができる。
【００３０】
次に、前述のドーナツ状土台を用いた巻き髪形成方法を図６を用いて説明する。この二つ目の巻き髪形成方法は、シニヨン（お団子状の髪型）９を形成し、一定時間シニヨン９のまま固定した後にドーナツ状土台を取り外すことによって巻き髪を形成するものである。
【００３１】
シニヨン９の形成方法は、まず後頭部で毛髪７をゴム８で一つに束ね、ポニーテールを作る。次に（ａ）に示すようにドーナツ状土台に毛先７ａを巻きつけるが、このときドーナツ状土台に毛先７ａが巻きやすいよう予めスプレー等で毛先７ａを濡らしておくと良い。ドーナツ状土台を毛先７ａがドーナツ状土台からずれて離れないよう手で固定して（ｂ）に示すように根元に向かって内から外にドーナツ状土台を回転させながら巻いていくことにより、ドーナツ状土台全体に順次髪が巻き付いていきドーナツ状土台が毛髪７で覆われ外から見えなくなる。さらに（ｃ）に示すようにドーナツ状土台を根元まで回転させゴム８周辺を抑えるようにドーナツ状土台全体を覆いかぶせシニヨン９を形成し最後に形を整えて（ｄ）のような形状の整ったシニヨン９ができあがる。この状態では、ドーナツ状土台や毛先７ａは外側から見えないようになっている。尚、シニヨン９の数は一つとは限らず複数個形成してもよく、髪型セット具１の全長や布の厚みを変えてドーナツ状土台の大きさを適宜変更し、シニヨン９の大きさを好みの大きさにすることができる。
【００３２】
この状態で一定時間放置し、ドーナツ状土台を外すことによりきれいなカールが形成できる。尚、放置時間は長い程しっかりとしたカールができるが、外出前にシニヨン９をセットし、そのまま作業、就労後にドーナツ状土台を取り外して簡単にカールヘアーとすることができる。また、就寝前にシニヨン９をセットしてそのまま就寝する場合は、後頭部でなく頭部上方にシニヨン９を形成することにより痛みをともなうことなく就寝し、翌朝ドーナツ状土台を取り外せば簡単に形状の整ったカールヘアーができる。
【００３３】
このように、布からなる柔らかい髪型セット具１によって作られる棒状土台やドーナツ状土台を使用すれば、簡単にセットが可能で、かつ違和感なく長時間装着することができ、長時間解けにくい。また、熱を与えて癖づけするものではないため髪を傷めることもない。また、髪型セット具１を巻き髪を形成するためだけでなくシニヨン９を形成するためにも用いることができ多目的に使用できる。また、髪型セット具１は編み機等によりほつれ処理が施されて糸が解けにくいため、繰り返し洗濯が可能であり清潔に保つことが可能である。
【００３４】
尚、各部位が基部２を中心に左右対称としているが、必ずしも左右対称とは限らず、各部位の機能を満たす限りそれぞれ異なる寸法、糸、編み方を用いても良い。また、これらの各部位を全て用いる必要はなく、後の実施例で述べるように、例えば基部２及び結束部３のみからなるような髪型セット具とすることができることは言うまでもない。
【００３５】
また、毛先７ａを巻きつける土台となる基部２を手前から順次巻き込んで棒状土台を作ることについて説明したが、これに限らず、基部２を数回折り畳んで棒状土台を作るようにしてもよい。
【００３６】
次に、前記実施例の変形例１として、前記実施例の基部２及び結束部３を変形して構成した髪型セット具１１について図７を参照して説明する。尚、前記実施例に示される構成部分と同一構成部分に付いては同一符号を付して重複する構成の説明を省略する。
【００３７】
髪型セット具１１は、基部２及び基部２よりも長手方向に伸縮性の高い結束部３が基部２の片側のみに連結された一重の布であり、横長さは、基部２が１９０ｍｍ、結束部３が１０５ｍｍ、髪型セット具１１全体の横長さが２９５ｍｍである。また、髪型セット具１１の中心部の基部２の表面には、基部２に巻き付けた毛髪７と基部２とがずれないよう小突起１０が形成されている。
【００３８】
小突起１０は、基部２の表面に直径１ｍｍから５ｍｍ程度の樹脂の塊を付着させることによって形成され、樹脂は、熱により溶融して布表面に接着できるものであり、例えば、塩化ビニル、ポリスチレン、ＡＢＳ、ポリエステル等が挙げられる。小突起１０の数はその大きさとの兼ね合いであるが、１平方センチ当たり１から１０個程度である。尚、小突起１０は、基部２、即ち長手方向の中心部の表面に分布しているのが好ましいが、基部２表面に設ける他、結端部４や末端部５に設けてもよい。小突起１０が結端部４に設けられている場合は、結束部３で固定した真結びが就寝中の寝返り等で緩んだとしても小突起１０がそれを防止して解けにくくなり、小突起１０が末端部５の筒状内面に設けられている場合は、ドーナツ状土台の巻き戻りを防止しドーナツ形状が崩れにくくなる。
【００３９】
次に、前記実施例の変形例２として、前記実施例の基部２及び結束部３を変形しそれぞれが独立して構成される髪型セット具１２について図８を参照して説明する。尚、前記実施例に示される構成部分と同一構成部分に付いては同一符号を付して重複する構成の説明を省略する。
【００４０】
髪型セット具１２は、両端が開放された筒状の布からなる基部２及び長手方向に伸縮性の高い結束部３から構成され、前記結束部３は、基部２の筒中に通されて基部２の両側に結束部３が配置されている。結束部３の横長さ即ち髪型セット具１２の全長は２９５ｍｍ、結束部３の略中央に設けられた基部２の横長さは８５ｍｍである。
【００４１】
髪型セット具１２は、基部２と結束部３が分離しているために結束部３で真結びに結ぶ際に、結束部３が両端部側に引っ張られても基部２自体は影響を受けず形状が保持され基部２に巻きつけられた毛髪７が全く移動せずにその状態を保ったまま確実に保持され、伸縮性のある結束部３で固定することができるため解けにくく形状の整ったカールを形成することができる。また、伸縮性のある結束部３で毛髪７全体を結束できるため強く結束することができる。また、基部２を取り付け自在とすることによって好みに応じて厚みの異なる基部２を用い、カールの大きさを自由に変更することが可能となる。尚、基部２を結束部３と分離して取り付け自在とするだけでなく、基部２を結束部３の中央に配置しその一部、例えば基部２中央と結束部３中央を一緒に縫い付けて固定するようにしても良い。
【００４２】
次に、前記実施例の変形例３として、前記実施例の基部２の両側に保持部６，６を連結して構成した髪型セット具１３について図９を参照して説明する。尚、前記実施例に示される構成部分と同一構成部分に付いては同一符号を付して重複する構成の説明を省略する。
【００４３】
髪型セット具１３は、基部２、保持部６及び結束部３から構成されている。基部２よりも肉厚の保持部６が基部２の両側に連結され、さらに基部２よりも長手方向に伸縮性の高い結束部３が保持部６を介して基部２の両側に配置された一重の布であり、横長さは、基部２が５５ｍｍ、保持部６が１５ｍｍ、結束部３が１０５ｍｍ、髪型セット具１３全体の横長さが２９５ｍｍであり、保持部６の幅は８８ｍｍ、厚みは３ｍｍである。保持部６の糸は基部２同様表糸に絹、裏糸にナイロンを使用し、糸の太さを基部２よりも大きくする等により基部２よりも肉厚の布としている。尚、布の作り方は基部２同様平編を添え糸編みで形成した。
【００４４】
髪型セット具１３により、結束部３で結んで固定する際に、基部２に巻きつけられた毛髪７がその状態を保ったまま保持され、伸縮性のある結束部３で固定することができるため解けにくく形状の整ったカールを形成することができるが、さらに基部２の両側には基部２よりも肉厚の保持部６が連結されているため、基部２に巻き付けられた毛髪７が保持部６により長手方向に広がることが防止され、毛髪７が確実に保持されて解けにくく形状の整ったカールを形成することができる。尚、保持部６は一定の厚みを持つように形成してもよいし、基部２側から結束部３にいくにしたがって次第に厚みを増すように形成してもよい。
【００４５】
以上、本発明の実施例を図面により説明してきたが、これらの髪型セット具を使用して髪をセットし、そのまま就寝したところ痛みや違和感は全くなく、巻いた髪が安定して固定された状態を保っており、翌朝解いてきれいな巻き髪を得ることができた。尚、具体的な構成はこれら実施例に限られるものではなく、本発明の要旨を逸脱しない範囲における変更や追加があっても本発明に含まれる。
【００４６】
例えば、ドーナツ状土台を用いてシニヨン９を形成する実施例では、毛先７ａを予めスプレー等をして巻き付きやすいようにしたが、これに限らず、例えば前記末端部５には、収縮状態で前記末端部５の外周径よりも小径のゴムが固定されていてもよい。前記ゴムにより巻き始めの毛先７ａを固定して髪を巻き付けることができるため、簡単に毛先７ａを固定することができ、使用後には髪型セット具を丸めてゴムでコンパクトに収納することができる。
【００４７】
また、前記実施例では色については特に限定しないが、例えば基部２と他の部位を異なる色としたり、基部２と他の部位の境界にラインを設けて基部２の位置を確認できるようにしたりすることでどの部分を用いて棒状土台とし、巻き髪を形成するか直ぐに確認できるようにしてもよい。
【００４８】
また、前記実施例で筒状の髪型セット具について説明したが、例えば保湿成分や精油等の芳香成分を有するシートを筒中に挿入して就寝中や作業中に髪の乾燥を防ぎ鎮静効果をもたらすような髪型セット具としてもよい。また、棒状土台を形成する際に基部２の表面に配置した前記シートを一緒に巻き込んで利用するようにしても良い。
【００４９】
また、前記実施例の髪型セット具の使用方法において、棒状土台を用いて結束部３を真結びにすることについて説明したが、さらにずれないよう二重結びにしてもよい。また、ドーナツ状土台を末端部５から内巻きに順次巻いて形成する方法について説明したが、これに限らず、外巻きにして形成しても良い。
【００５０】
また、前記実施例では人間の毛髪７をカールするために本発明の髪型セット具を使用する例を示したが、これに限らず、犬や猫等の動物の毛や鬘等の人工髪のセットにも使用できる。
【符号の説明】
【００５１】
１                髪型セット具
２                基部
３                結束部
４                結端部
５                末端部
６                保持部
７                毛髪
７ａ              毛先
８                ゴム
９                シニヨン
１０              小突起
【図１】
2015136466.tif 000003
【図２】
2015136466.tif 000004
【図３】
2015136466.tif 000005
【図４】
2015136466.tif 000006
【図５】
2015136466.tif 000007
【図６】
2015136466.tif 000008
【図７】
2015136466.tif 000009
【図８】
2015136466.tif 000010
【図９】
2015136466.tif 000011